(57)【要約】    【課題】  送信先アドレス入力の手間を省くことができる画像処理装置及び方法、プログラム並びに記憶媒体を提供することにある。    【解決手段】  画像処理システムは、プリンタ１００とクライアントＰＣ１２０とＰＤＡ１３０とを備える。ＰＤＡ１３０は、各個人の送信メールアドレス６０６を含むアドレス情報を保存している。プリンタ１００が使用可能なときは、ＰＤＡ１３０のメモリ１３３に保存された１レコードのアドレス情報をプリンタ１００に送信し、また、プリンタ１００のハードディスク１０６に保存された画像データを送信した後、送信レポートを送信メールアドレス６０６（ＰＤＡ１３０）に送信する。【選択図】      図５
2005252378.tif 000002
【特許請求の範囲】
【請求項１】
画像データを記憶する記憶手段と、インタフェースを介してアドレス情報記憶機能を有する外部機器と通信を行う通信手段とを備える画像処理装置において、
前記通信手段を介して前記外部機器からアドレス情報を取得する取得手段と、所定の送信先に前記記憶された画像データを送信する送信手段と、前記送信手段による送信結果を前記取得手段で取得したアドレス情報に係る通知先に通知する通知手段とを有することを特徴とする画像処理装置。
【請求項２】
ユーザ毎に前記画像処理装置が使用可能か否かを認証する認証手段を備えることを特徴とする請求項１記載の画像処理装置。
【請求項３】
前記通知先は前記外部機器であることを特徴とする請求項１又は２記載の画像処理装置。
【請求項４】
前記所定の送信先を前記外部機器とするか否かを選択する選択手段を備えることを特徴とする請求項３記載の画像処理装置。
【請求項５】
前記画像データの送信終了後に前記画像データの送信履歴を消去する消去手段を備えることを特徴とする請求項１乃至４のいずれか１項に記載の画像処理装置。
【請求項６】
画像データを記憶する記憶ステップと、インタフェースを介してアドレス情報記憶機能を有する外部機器と通信を行う通信ステップとを備える画像処理方法において、
前記通信ステップにおいて、前記外部機器からアドレス情報を取得する取得ステップと、所定の送信先に前記記憶された画像データを送信する送信ステップと、前記送信ステップにおける送信結果を前記取得ステップで取得したアドレス情報に係る通知先に通知する通知ステップとを有することを特徴とする画像処理方法。
【請求項７】
ユーザ毎に前記画像処理方法が使用可能か否かを認証する認証ステップを備えることを特徴とする請求項６記載の画像処理方法。
【請求項８】
前記通知先は前記外部機器であることを特徴とする請求項６又は７記載の画像処理方法。
【請求項９】
前記所定の送信先を前記外部機器とするか否かを選択する選択ステップを備えることを特徴とする請求項８記載の画像処理方法。
【請求項１０】
前記画像データの送信終了後に前記画像データの送信履歴を消去する消去ステップを備えることを特徴とする請求項６乃至９のいずれか１項に記載の画像処理方法。
【請求項１１】
画像データを記憶する記憶モジュールと、インタフェースを介してアドレス情報記憶機能を有する外部機器と通信を行う通信モジュールとをコンピュータに実行させる画像処理プログラムにおいて、
前記通信モジュールにおいて、前記外部機器からアドレス情報を取得する取得モジュールと、所定の送信先に前記記憶された画像データを送信する送信モジュールと、前記送信モジュールにおける送信結果を前記取得モジュールで取得したアドレス情報に係る通知先に通知する通知モジュールとを有することを特徴とする画像処理プログラム。
【請求項１２】
請求項１１記載のプログラムを格納することを特徴とするコンピュータ読取り可能な記憶媒体。
【発明の詳細な説明】
【技術分野】
【０００１】
本発明は、画像処理装置及び方法、プログラム、並びに記憶媒体に関し、特に、画像データを記憶する機能、及びインタフェースを介してアドレス情報記憶機能付き外部機器と通信を行う機能を有する画像処理装置及び方法、プログラム、並びに記憶媒体に関する。
【背景技術】
【０００２】
従来、画像データを記憶する機能、及びインタフェースを介して外部機器と通信を行う機能を有する画像処理装置は、所定の送信先に画像データを送信する場合、送信先のアドレスは、ユーザが画像処理装置が有するアドレス帳情報の中から選択するか、又は画像処理装置に設けられた操作パネル上から手入力により指定していた。また、特許文献１に示されているようにＰＤＡ等の外部機器のアドレス帳から取得したアドレス帳からのアドレスに送信するものも知られている。
【特許文献１】特開平１１−２０５５１６号公報
【発明の開示】
【発明が解決しようとする課題】
【０００３】
しかしながら、例えば、外出先の画像処理装置を一時的に使用する場合等は、データ送信終了後の送信結果情報は該画像処理装置の操作パネルに表示されたとしても、ユーザがすでにその場を離れている場合には、その送信結果を見ることができず、正常に画像データが送信されたか否かを知ることができない。
【０００４】
本発明の目的は、画像データの送信結果を容易に認識できる画像処理装置及び方法、プログラム、並びに記憶媒体を提供することにある。
【課題を解決するための手段】
【０００５】
上記の目的を達成するために、請求項１記載の画像処理装置は、画像データを記憶する記憶手段と、インタフェースを介してアドレス情報記憶機能を有する外部機器と通信を行う通信手段とを備える画像処理装置において、前記通信手段を介して前記外部機器からアドレス情報を取得する取得手段と、所定の送信先に前記記憶された画像データを送信する送信手段と、前記送信手段による送信結果を前記取得手段で取得したアドレス情報に係る通知先に通知する通知手段とを有することを特徴とする。
【０００６】
請求項２記載の画像処理装置は、請求項１記載の画像処理装置において、ユーザ毎に前記画像処理装置が使用可能か否かを認証する認証手段を備えることを特徴とする。
【０００７】
請求項３記載の画像処理装置は、請求項１又は２記載の画像処理装置において、前記通知先は前記外部機器であることを特徴とする。
【０００８】
請求項４記載の画像処理装置は、請求項３記載の画像処理装置において、前記所定の送信先を前記外部機器とするか否かを選択する選択手段を備えることを特徴とする。
【０００９】
請求項５記載の画像処理装置は、請求項１乃至４のいずれか１項に記載の画像処理装置において、前記画像データの送信終了後に前記画像データの送信履歴を消去する消去手段を備えることを特徴とする。
【００１０】
請求項６記載の画像処理方法は、画像データを記憶する記憶ステップと、インタフェースを介してアドレス情報記憶機能を有する外部機器と通信を行う通信ステップとを備える画像処理方法において、前記通信ステップは、前記外部機器からアドレス情報を取得する取得ステップと、所定の送信先に前記記憶された画像データを送信する送信ステップと、前記送信ステップにおける送信結果を前記取得ステップで取得したアドレス情報に係る通知先に通知する通知ステップとを有することを特徴とする。
【００１１】
請求項７記載の画像処理方法は、請求項６記載の画像処理方法において、ユーザ毎に前記画像処理方法が使用可能か否かを認証する認証ステップを備えることを特徴とする。
【００１２】
請求項８記載の画像処理方法は、請求項６又は７記載の画像処理方法において、前記通知先は前記外部機器であることを特徴とする。
【００１３】
請求項９記載の画像処理方法は、請求項８記載の画像処理方法において、前記所定の送信先を前記外部機器とするか否かを選択する選択ステップを備えることを特徴とする。
【００１４】
請求項１０記載の画像処理方法は、請求項６乃至９のいずれか１項に記載の画像処理方法において、前記画像データの送信終了後に前記画像データの送信履歴を消去する消去ステップを備えることを特徴とする。
【００１５】
請求項１１記載の画像処理プログラムは、画像データを記憶する記憶モジュールと、インタフェースを介してアドレス情報記憶機能を有する外部機器と通信を行う通信モジュールとをコンピュータに実行させる画像処理プログラムにおいて、前記通信モジュールは、前記外部機器からアドレス情報を取得する取得モジュールと、所定の送信先に前記記憶された画像データを送信する送信モジュールと、前記送信モジュールにおける送信結果を前記取得モジュールで取得したアドレス情報に係る通知先に通知する通知モジュールとを有することを特徴とする。
【００１６】
請求項１２記載のコンピュータ読取り可能な記憶媒体は、請求項１１記載のプログラムを格納することを特徴とする。
【発明の効果】
【００１７】
請求項１記載の装置、請求項６記載の方法、請求項１１記載のプログラム、及び請求項１２記載の記憶媒体によれば、外部機器からアドレス情報を取得し、所定の送信先に記憶された画像データを送信した結果を取得したアドレスに通知するので、送信結果を所望する場所で容易に認識することができる。
【００１８】
請求項２記載の装置及び請求項８記載の方法によれば、ユーザ毎に画像処理装置が使用可能か否かを認証するので、外部機器のアドレス情報のセキュリティを確保することができる。
【００１９】
請求項４記載の装置及び請求項８記載の方法によれば、所定の送信先を外部機器とするか否かを選択するので、送信レポートの送信先を選択することができる。
【００２０】
請求項５記載の装置及び請求項１０記載の方法によれば、画像データの送信終了後に画像データの送信履歴を消去するので、外部機器のアドレス情報のセキュリティを確実に確保することができる。
【発明を実施するための最良の形態】
【００２１】
以下、本発明の実施の形態を図面を参照しながら詳述する。
【００２２】
図１は、本発明の実施の形態に係る画像処理システムの構成を概略的に示すブロック図である。
【００２３】
本発明の実施の形態に係る画像処理システムは、後述する図２のプリンタ１００と、後述する図３のクライアントＰＣ（Personal Computer）１２０と、後述する図４のＰＤＡ（Personal Digital Assistant）１３０とを備える。プリンタ１００は外部インターフェース１１１を有し、クライアントＰＣ１２０は外部インターフェース１２６を有し、ＰＤＡ１３０は外部インターフェース１３６を有する。プリンタ１００は、プリンタ１００に保存されているデータをクライアントＰＣ１２０へ送信する送信元である。
【００２４】
プリンタ１００は、他の機器とネットワーク・プロトコルで通信するインターフェース１５０を介してネットワーク２００（公衆回線網）に接続され、プリンタ１００の外部インターフェース１１１には、インターフェース１５１が接続されている。
【００２５】
クライアントＰＣ１２０の外部インターフェース１２６は、他の機器とネットワーク・プロトコルで通信するインターフェース１４０を介してネットワーク２００に接続されている。また、クライアントＰＣ１２０の外部インターフェース１２６には、他の機器と無線通信により１対１通信を行うインターフェース１４１が接続されている。
【００２６】
ＰＤＡ１３０の外部インターフェース１３６には、他の機器と無線通信により１対１通信を行うインターフェース１６１が接続されている。
【００２７】
図２は、図１におけるプリンタの構成を概略的に示すブロック図である。
【００２８】
図２において、プリンタ１００は、プリンタエンジン１１０、エンジン制御部１０９，及び周辺制御部１０３を備え、これらは、順に直列に接続されている。プリンタ１００は、また、メインＣＰＵ１０１、メモリ１０４、ＲＯＭ１０５、ハードディスク１０６、ネットワーク制御部１０２、外部インターフェース１１１、パネル１０７、及びキー１０８を備え、これらは、周辺制御部１０３に夫々接続されている。プリンタ１００は、さらに、磁気読取り部１１２を備える。パネル１０７とキー１０８は操作パネルを構成する。
【００２９】
メインＣＰＵ１０１は、周辺制御部１０３と協働して装置全体を制御する。ネットワーク制御部１０２は、プリンタ１００に保存されている画像データや、プリンタ１００の状態情報、例えば、紙詰まりによるエラー情報等をクライアントＰＣ１２０に対して送信し、また、クライアントＰＣ１２０からのプリント要求やプリントデータ、保存要求や保存データを受信する送受信を制御する。メモリ１０４は、画像データ等を一時的に保存する揮発性の記憶装置であり、ＲＯＭ１０５は、プリンタ１００自身の起動等の制御を含むプログラムを保存する読込み専用のメモリである。ハードディスク１０６は、プリントデータや保存データ等を一時的又は恒久的に保存し、又は、メモリ１０４の容量を超える場合等に用いられる磁気媒体、即ち、不揮発性の記憶装置である（図８）。
【００３０】
パネル１０７は、プリンタ１００の状態を表示するモニタであり、キー１０８は、プリンタ１００本体への制御リクエストやパネル１０７への表示切替等を入力する。エンジン制御部１０９は、プリンタエンジン１１０の駆動や出力データ転送等を制御し、プリンタエンジン１１０は最終的な出力画像を出力する。外部インターフェース１１１は、他の機器との間の通信を制御する。磁気読み取り部１１２は、磁気カード等を読み取る。
【００３１】
図３は、図１におけるクライアントＰＣの構成に示すブロック図である。
【００３２】
図３において、クライアントＰＣ１２０は、プリンタ１００から送信されたデータを受信する端末であり、外部インターフェース１２６を備える。クライアントＰＣ１２０は、さらに、ＣＰＵ１２１、メモリ１２２、メモリ１２３、入力機器１２４、及び出力機器１２５を備え、これらは、外部インターフェース１２６に夫々接続されている。
【００３３】
ＣＰＵ１２１は、クライアントＰＣ１２０の装置全体を制御する。メモリ１２２は、クライアントＰＣ１２０の演算や制御のデータを一時的に保存する揮発性の記憶装置であり、メモリ１２３は、クライアントＰＣ１２０を起動するためのプログラムを保管したＲＯＭ、クライアントＰＣ１２０の実行するプログラムを保存したＨＤＤ(Hard Disk Drive)及びクライアントＰＣ１２０の保存したデータを保管する取出し可能なＦＤＤ(Floppy（登録商標） Disk Drive)やＣＤーＲＯＭドライブ等の不揮発性の記憶装置である。入力機器１２４は、クライアントＰＣ１２０に対してデータを入力するキーボードやマウス等で構成され、出力機器１２５は、クライアントＰＣ１２０で実行されたプログラムやデータ等を出力するディスプレイ等で構成される。外部インターフェース１２６は、ネットワーク制御部やローカルバス制御部等で構成され、他の機器との通信を制御する。
【００３４】
図４は、図１におけるＰＤＡの構成を概略的に示すブロック図である。
【００３５】
図４において、ＰＤＡ１３０は、小型の個人用情報携帯端末であり、外部インターフェース１３６を備える。ＰＤＡ１３０は、さらに、ＣＰＵ１３１、メモリ１３２、メモリ１３３、入力機器１３４、及び出力機器１３５を備え、これらは、外部インターフェース１３６に夫々接続されている。
【００３６】
ＣＰＵ１３１は、装置全体を制御する。メモリ１３２は、ＰＤＡ１３０の演算や制御のデータを一時的に保管する読出し・書込み可能な記憶装置であり、メモリ１３３は、ＰＤＡ１３０を起動するためのプログラムを保存したＲＯＭであり、各個人のアドレス情報やＰＤＡ１３０の実行するプログラム等を保存したＨＤＤ等の不揮発性の記憶装置である（図６）。入力機器１３４は、ＰＤＡ１３０に対してデータ入力するタッチパネルとペン等で構成され、出力機器１３５は、ＰＤＡ１３０で実行されたプログラムやデータ等を出力するディスプレイ等で構成される。外部インタフェース１３６は、ＰＤＡ１３０と、その外部との接続制御を行い、ネットワーク制御部やローカルバス制御部等で構成され、他の機器との通信を制御する。
【００３７】
図５は、図１の画像処理システムによって実行されるデータ送信処理を示すフローチャートである。
【００３８】
本データ送信処理は、プリンタ１００のハードディスク１０６に保存された画像データを、図６に示す送信先におけるクライアントＰＣ１２０に電子メールを送信するものである。図６には、ＰＤＡ１３０のメモリ１３３に保存された各個人のアドレス情報の１レコードの構成例が示されている。
【００３９】
図５において、まず、後述する図７のユーザ認証処理を実行してプリンタ１００が使用可能か否かを判別し（ステップＳ５０１）、使用可能でないときは、直ちに本処理を終了し、使用可能なときは、ＰＤＡ１３０のメモリ１３３に保存された複数レコードのうちの１レコードのアドレス情報（図６）を選択してインターフェース１６１を介してプリンタ１００に送信する（ステップＳ５０２）。上記１レコードのアドレス情報はＰＤＡ１３０の入力機器１３４を用いたユーザの指定によって選択される。上記送信が正常に行われなかったときは（ステップＳ５０３でＮＯ）、ステップＳ５０２の送信を繰り返し、正常に送信が完了したときは（ステップＳ５０３でＹＥＳ）、プリンタ１００からＰＤＡ１３０のメモリ１３３内のアドレス情報のなかの送信元メールアドレス６０６に対して送信レポートを送信するか否かのいずれをキー１０８又はＰＤＡ１３０から入力機器を用いてユーザが設定したかを判別する（ステップＳ５０４）。
【００４０】
ステップＳ５０４の判別の結果、送信レポートを送信すると設定したときは、ＰＤＡ１３０のメモリ１３３内のアドレス情報のなかの送信先メールアドレス６０３を送信先として、プリンタ１００のハードディスク１０６に保存された画像データを送信する（ステップＳ５０５）。ここでは、メールの送信は公知のＳＭＴＰに従って行うものとし、メールのヘッダ部のＦＲＯＭ行、ＳＭＴＰサーバとの通信で用いるＭＡＩＬ ＦＲＯＭアドレスには送信元メールアドレス６０６を設定するようにする。こうすることで送信先に届く過程で経由するメールサーバでエラーが生じた場合や送信先からの何らかの返信がプリンタ１００ではなく、メールアドレス６０６に届くことになり、ＰＤＡ１３０のユーザが対応できるようになる。そして、ステップＳ５０５の送信が終了すると送信レポートを送信元メールアドレス６０６（ＰＤＡ１３０）に対して送信する（スップＳ５０６）。送信レポートには、送信が正常終了したか、異常終了したか、送信日時、送信先アドレス、送信した画像データのファイル名、ページ数等の情報が含まれる。最後に、プリンタ１００のハードディスク１０６に保存された画像データの送信履歴を消去して（ステップＳ５０７）、本処理を終了する。
【００４１】
ステップＳ５０４の判別の結果、送信レポートを送信しないと判別したときは、送信レポートを送信元メールアドレス６０６に対して送信することなく、ＰＤＡ１３０のメモリ１３３内のアドレス情報のなかの送信先メールアドレス６０３を送信先として、プリンタ１００のハードディスク１０６に保存された画像データを送信して（ステップＳ５０８）、最後に、プリンタ１００のハードディスク１０６に保存された画像データの送信履歴を消去して（ステップＳ５０７）、本処理を終了する。
【００４２】
なお、送信履歴は消去するのではなく、管理者権限等により閲覧可能にしてもよい。この場合、例えば、送信元アドレスは伏字にし、送信者名のみにしたり、ユーザ名のところは伏字にしてドメイン名のみ確認できるようにしてもよい。送信先に関しても同様である。
【００４３】
図５の処理によれば、プリンタ１００が使用可能なときは（ステップＳ５０１でＹＥＳ）、ＰＤＡ１３０のメモリ１３３に保存された１レコードのアドレス情報をインタフェース１６１を介してプリンタ１００に送信する（ステップＳ５０２）ので、送信アドレス入力の手間を省くことができ、また、プリンタ１００のハードディスク１０６に保存された画像データを送信した（ステップＳ５０５）後、送信レポートを送信メールアドレス６０６（ＰＤＡ１３０）に送信する（ステップＳ５０６）ので、送信が正常に行えた否かをプリンタ１００から離れた位置のＰＤＡ１３０において知ることができる。なお、送信レポートの送信先は、ＰＤＡ１３０に限らず、ＰＤＡ１３０が持つアドレス帳の中から任意に選択したり、ＰＤＡ１３０を介した手入力、プリンタ１００からの手入力等の種々の方法で選択してもよい。この場合、デフォルトではＰＤＡ１３０のメールアドレス６０６が自動で設定され、所定の操作で上記のような他のアドレスを入力するようにすればよい。
【００４４】
図７は、図６のステップＳ５０１で実行されるユーザ認証処理のフローチャートである。
【００４５】
図７において、まず、プリンタ１００の操作パネルからユーザ名とパスワードを入力し（ステップＳ７０１）、ステップＳ７０２では、プリンタ１００のハードディスク１０６に保存されたユーザ管理テーブル（図８）のデータを参照し、ステップＳ７０１で入力されたユーザ名とパスワードがユーザ管理テーブルと一致するか否か判別する（ステップS７０２）。ステップS７０２の判別の結果、ステップＳ７０１で入力されたユーザ名とパスワードがユーザ管理テーブルと一致するときは、プリンタ１００を使用可能と判別して（ステップＳ７０３）、本処理を終了し、ステップＳ７０１で入力されたユーザ名とパスワードがユーザ管理テーブルと一致しないときは、プリンタ１００を使用可能でないと判別し（ステップＳ７０４）、本処理を終了する。
【００４６】
本発明は、上記の実施の形態に限られるものではない。上記の実施の形態においては、プリンタ１００からの画像データ送信を電子メールで行っているが、別の方法、例えばＦＡＸ等で行ってもよい。ＦＡＸの場合は、ステップＳ５０４において、画像データの送信先をアドレス情報のなかの送信先ＦＡＸ番号６０４とする。
【００４７】
本発明は、プリンタ１００が使用可能か否かの認証方法について、上記の実施の形態に挙げた方法に限られるものではなく、別の方法であってもよい。例えば、個人データが保存された磁気カードを磁気読み取り装置１１２に挿入し、その個人データがユーザ管理テーブルと一致した場合は、プリンタ１００が使用可能と認証してもよい。
【００４８】
また、本発明の目的は、上記実施形態の機能を実現するソフトウェアのプログラムコードを記録した記憶媒体（または記録媒体）を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００４９】
この場合、記憶媒体から読み出されたプログラムコード自体が前述した実施形態の機能を実現することになり、そのプログラムコードを記憶した記憶媒体は本発明を構成することになる。
【００５０】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行い、その処理によって前述した実施形態の機能が実現される場合も含まれることは言うまでもない。
【００５１】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００５２】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００５３】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【００５４】
【図１】本発明の実施の形態に係る画像処理システムの構成を概略的に示すブロック図である。
【図２】図１におけるプリンタの概略構成を示すブロック図である。
【図３】図１におけるクライアントＰＣの構成を概略的に示すブロック図である。
【図４】図１におけるＰＤＡの構成を概略的に示すブロック図である。
【図５】図１の画像処理システムによって実行されるデータ送信処理を示すフローチャートである。
【図６】図４のＰＤＡ１３０のメモリ１３３に保存された各個人のアドレス情報の１レコードの構成例を示す図である。
【図７】図６のステップＳ５０１で実行されるユーザ認証処理のフローチャートである。
【図８】図２のプリンタ１００のハードディスク１０６に保存されたユーザ管理テーブルの構成例を示す図である。
【符号の説明】
【００５５】
１００  プリンタ
１０１  メインＣＰＵ
１０２  ネットワーク制御部
１０３  周辺制御部
１０４  メモリ
１０５  ＲＯＭ
１０６  ハードディスク
１０７  パネル
１０８  キー
１２０  クライアントＰＣ
１３０  ＰＤＡ
２００  ネットワーク
【図１】
2005252378.tif 000003
【図２】
2005252378.tif 000004
【図３】
2005252378.tif 000005
【図４】
2005252378.tif 000006
【図５】
2005252378.tif 000007
【図６】
2005252378.tif 000008
【図７】
2005252378.tif 000009
【図８】
2005252378.tif 000010